(57)【要約】      （修正有）【課題】ステータ片を簡易な構成でより真円度の高い環状に連結することができるステータを提供する。【解決手段】ステータは、上下に延びる中心軸を中心として周方向に並ぶ複数のステータ片１を有する。ステータ片は、コアバック部２１からティース部２２が径方向に延びる分割コアと、連結部３１を有するインシュレータ３と、隣り合うコアバック部間を連結する板部４と、を有する。連結部は、隣り合うティース部の先端同士を連結する。板部は、コアバック部の軸方向端面２１０上に設けられる基部４１と、基部からコアバック部よりも周方向に延びる延伸部４２と、軸方向に突出する凸部４３と、軸方向に凹む凹部４４と、を有する。凸部及び凹部のうちの一方は基部、又はコアバック部の軸方向端面に設けられ、他方は板部の軸方向のコアバック部側を向く面に設けられる。隣り合うステータ片のうちの一方のステータ片の凸部が、他方のステータ片の凹部に嵌る。【選択図】図５Ａ
2019062608.tif 000002
【特許請求の範囲】
【請求項１】
上下に延びる中心軸を中心として周方向に並ぶ複数のステータ片を有し、
各々の前記ステータ片は、
磁性体よりなる分割コアと、
前記分割コアを覆う樹脂製のインシュレータと、
を有し、
前記分割コアは、
周方向に延びるコアバック部と、
前記コアバック部から径方向に延びるティース部と、
を有し、
前記ティース部には、前記インシュレータを介して前記導線が巻き付けられ、
前記インシュレータは、隣り合う前記ステータ片の前記ティース部の先端同士を連結する連結部を有し、
各々のステータ片は、隣り合う前記ステータ片の前記コアバック部間を連結する板部をさらに有し、
前記板部は、
前記コアバック部の軸方向端面上に設けられる基部と、
前記基部から前記コアバック部よりも周方向に延びる延伸部と、
軸方向に突出する凸部と、
軸方向に凹む凹部と、
を有し、
前記凸部及び前記凹部のうちの一方は、前記基部、又は前記コアバック部の前記軸方向端面に設けられ、
前記凸部及び前記凹部のうちの他方は、前記板部の軸方向の前記コアバック部側を向く面に設けられ、
隣り合う前記ステータ片のうちの一方の前記ステータ片の前記凸部が、他方の前記ステータ片の前記凹部に嵌る、ステータ。
【請求項２】
前記板部の材料は、前記インシュレータと同じである、請求項１に記載のステータ。
【請求項３】
前記板部のうちの少なくとも前記延伸部は、樹脂製である、請求項１又は請求項２に記載のステータ。
【請求項４】
軸方向から見て、前記板部の径方向内側における端部及び径方向外側における端部は、中心軸を中心とする円弧形状である、請求項１〜請求項３のいずれかに記載のステータ。
【請求項５】
前記凸部は、径方向から見て軸方向のコアバック部側に向かって凸に湾曲する凸部曲面を有する、請求項１〜請求項４のいずれかに記載のステータ。
【請求項６】
前記凸部曲面はさらに、周方向から見て湾曲する、請求項５に記載のステータ。
【請求項７】
各々の前記ステータ片は、軸方向に突出し且つ周方向に延びる壁部を有し、
前記壁部は、前記板部よりも径方向外側に設けられ、
隣り合うステータ片のうちの一方のステータ片の前記延伸部の径方向外側における端部は、他方のステータ片の前記壁部に沿って延びる、請求項１〜請求項６のいずれかに記載のステータ。
【請求項８】
前記延伸部は、軸方向から見て前記延伸部の外部に向かって凸に湾曲する延伸部曲面を有し、
前記延伸部曲面は、前記延伸部の周方向における先端部のうちの径方向外側における端部に設けられる、請求項７に記載のステータ。
【請求項９】
各々の前記ステータ片において、
前記インシュレータは前記分割コアをインサートして成型されており、
前記板部は、前記インシュレータの一部である、請求項１〜請求項８のいずれかに記載のステータ。
【請求項１０】
前記板部は、
前記コアバック部の軸方向一方側に設けられる第１板部と、
前記コアバック部の軸方向他方側に設けられる第２板部と、
を含み、
軸方向から見て、
前記第１板部は、前記コアバック部の軸方向一方側の第１軸方向面から周方向一方側に延び、
前記第２板部は、前記コアバック部の軸方向他方側の第２軸方向面から周方向他方側に延びる、請求項１〜請求項９のいずれかに記載のステータ。
【請求項１１】
前記コアバック部の周方向における側面は平面である、請求項１〜請求項１０のいずれかに記載のステータ。
【請求項１２】
前記連結部は、非磁性体である、請求項１〜請求項１１のいずれかに記載のステータ。
【発明の詳細な説明】
【技術分野】
【０００１】
本発明は、ステータに関する。
【背景技術】
【０００２】
従来、環状のステータを有するモータが知られている。特許文献１では、まず、複数個のステータブロックのティース部間が薄肉部で連結されたステータ連結体を得る。ステータブロックは、両脇端に薄肉部を備えるティース部、巻線部、コア支持部からなる。巻線部は、コア支持部同士の間隔が開いた状態でステータ連結体の各々のステータブロックにコイルを巻き付けて得られる。巻線部を設けた後にステータ連結体を折り曲げ、各々のステータブロックのコア支持部同士を連結面の接着又は溶着により連結することによって、環状のステータを得ている。
【先行技術文献】
【特許文献】
【０００３】
【特許文献１】特開２０００−１９７３１９号公報
【発明の概要】
【発明が解決しようとする課題】
【０００４】
しかしながら、特許文献１では、コア支持部同士を接着又は溶着する際、折り曲げたステータ連結体の両端の位置のずれ、及び、コア支持部の連結面の寸法誤差により、ステータの真円度が低下する恐れがある。
【０００５】
本発明は、上記の状況を鑑みて、複数のステータ片を簡易な構成でより真円度の高い環状に連結することができるステータを提供することを目的とする。
【課題を解決するための手段】
【０００６】
上記目的を達成するために、本発明の例示的なステータは、上下に延びる中心軸を中心として周方向に並ぶ複数のステータ片を有する。各々の前記ステータ片は、磁性体よりなる分割コアと、前記分割コアを覆う樹脂製のインシュレータと、を有する。前記分割コアは、周方向に延びるコアバック部と、前記コアバック部から径方向に延びるティース部と、を有する。前記ティース部には、前記インシュレータを介して前記導線が巻き付けられる。前記インシュレータは、隣り合う前記ステータ片の前記ティース部の先端同士を連結する連結部を有する。各々のステータ片は、隣り合う前記ステータ片の前記コアバック部間を連結する板部をさらに有する。前記板部は、前記コアバック部の軸方向端面上に設けられる基部と、前記基部から前記コアバック部よりも周方向に延びる延伸部と、軸方向に突出する凸部と、軸方向に凹む凹部と、を有する。前記凸部及び前記凹部のうちの一方は、前記基部、又は前記コアバック部の前記軸方向端面に設けられる。前記凸部及び前記凹部のうちの他方は、前記板部の軸方向の前記コアバック部側を向く面に設けられる。隣り合う前記ステータ片のうちの一方の前記ステータ片の前記凸部が、他方の前記ステータ片の前記凹部に嵌る。
【発明の効果】
【０００７】
本発明の例示的なステータによれば、複数のステータ片を簡易な構成でより真円度の高い環状に連結することができる。
【図面の簡単な説明】
【０００８】
【図１】図１は、モータの構成例を示す断面図である。
【図２】図２は、ステータの構成例を示す斜視図である。
【図３】図３は、一繋がりに連結された複数のステータ片を直線状にした図である。
【図４】図４は、分割コアの上面図である。
【図５Ａ】図５Ａは、板部を有するステータ片の斜視図である。
【図５Ｂ】図５Ｂは、板部を有するステータ片を軸方向から見た上面図である。
【図５Ｃ】図５Ｃは、板部を有するステータ片を径方向内側から見た側面図である。
【図６】図６は、第１変形例に係る板部を有するステータ片の斜視図である。
【図７】図７は、第２変形例に係る板部を有するステータ片を径方向内側から見た側面図である。
【図８】図８は、第３変形例に係る板部を有するステータ片を径方向内側から見た側面図である。
【図９】図９は、第４変形例に係る板部を有するステータ片を径方向内側から見た側面図である。
【図１０】図１０は、第５変形例に係る板部を有するステータ片を径方向内側から見た側面図である。
【発明を実施するための形態】
【０００９】
以下に図面を参照して本発明の例示的な実施形態を説明する。
【００１０】
なお、本明細書では、モータ５００及びステータ１１０において、中心軸ＣＡと平行な方向を「軸方向」と呼ぶ。さらに、軸方向において、ステータユニット１００からロータ２００に向かう軸方向一方側を「軸方向上側」と呼び、ロータ２００からステータユニット１００に向かう方向を「軸方向下側」と呼ぶ。また、各々の構成要素の表面において、軸方向上側を向く面を「上面」と呼び、軸方向下側を向く面を「下面」と呼ぶ。
【００１１】
また、中心軸ＣＡに直交する方向を「径方向」と呼ぶ。さらに、径方向において、シャフト３００に向かう方向を「径方向内側」と呼び、シャフト３００から離れる方向を「径方向外側」と呼ぶ。さらに、各々の構成要素の側面において、径方向内側を向く側面を「内周面」と呼び、径方向外側を向く側面を「外周面」と呼ぶ。
【００１２】
また、中心軸ＣＡを中心とする回転方向を「周方向」と呼ぶ。さらに、軸方向上側から見て、中心軸ＣＡを中心とする右回りの回転方向である周方向一方側を「時計回りの周方向ＣＷ」と呼び、中心軸ＣＡを中心とする左回りの回転方向である周方向他方側を「反時計回りの周方向ＣＣＷ」と呼ぶ。
【００１３】
なお、以上に説明した方向及び面の定義は、実際の機器に組み込まれた場合での位置関係及び方向などを示すものではない。
【００１４】
＜１．実施形態＞
＜１−１．モータの構成＞
図１は、モータ５００の構成例を示す断面図である。図１では、中心軸ＣＡを含む断面でモータ５００を切断している。図１のモータ５００は、たとえば空気調和機が有するアウターロータ型のファンモータである。但し、モータ５００の用途は、この例示には限定されない。
【００１５】
図１に示すように、モータ５００は、ステータユニット１００と、ロータ２００と、シャフト３００と、を有する。
【００１６】
ステータユニット１００は、モータ５００が駆動する際、ロータ２００を回転駆動する。ステータユニット１００の構成は後に説明する。
【００１７】
ロータ２００は、中心軸ＣＡを中心として回転可能である。ロータ２００は、保持部材２１０と、マグネット２２０と、を有する。保持部材２１０は、マグネット２２０を保持する部材である。保持部材２１０は、板部２１１と、円筒部２１２と、を含む。板部２１１は、シャフト３００から径方向の外方に延びる円環形状の部材である。円筒部２１２は、筒状の部材であり、板部２１１の周縁から軸方向の下方に延びる。マグネット２２０は、円筒部２１２の内周面に保持され、ステータユニット１００の外周面と対向する。
【００１８】
シャフト３００は、中心軸ＣＡに沿って上下方向に延びる回転軸であり、ロータ２００に取り付けられ、ロータ２００とともに回転可能である。なお、この例示に限定されず、シャフト３００は、ステータユニット１００に取り付けられる固定軸であってもよい。シャフト３００が固定軸である場合、ベアリング１３１が、ステータユニット１００に代わってロータ２００に設けられる。
【００１９】
＜１−２．ステータユニットの構成＞
次に、図１を参照して、ステータユニット１００の構成を説明する。ステータユニット１００は、ステータ１１０と、樹脂ケーシング１２０と、ベアリングホルダ１３０と、ベアリング１３１と、基板１４０と、ブラケット１５０と、を有する。
【００２０】
ステータ１１０は、中心軸ＣＡを中心とする環状であり、後述するように複数のステータ片１を有する。なお、ステータ片１の構成は後に説明する。
【００２１】
ステータ１１０は、ステータコア１１１と、インシュレータ３と、複数のコイル部１１２と、を有する。ステータコア１１１は、環状の鉄心部材であり、複数の後述する分割コア２で構成されている。インシュレータ３は、樹脂材料などの電気絶縁性を有する材料が用いられる部材であり、ステータコア１１１の少なくとも一部を覆う。複数のコイル部１１２は、インシュレータ３を介してステータコア１１１に巻きつけられた導線１１２ａからなる。導線１１２ａは、例えばエナメル被覆銅線等、絶縁部材で被覆された金属線で構成される。導線１１２ａに駆動電流が供給されると、ステータ片１に径方向の磁束が発生する。ステータ１１０は、この磁束を利用して、ロータ２００に周方向のトルクを発生させ、中心軸ＣＡを中心としてロータ２００を回転させる。
【００２２】
樹脂ケーシング１２０は、たとえばステータ１１０をインサート成型した樹脂製の部材である。樹脂ケーシング１２０は、ステータ１１０の少なくとも一部を樹脂材料で覆っている。たとえば、樹脂ケーシング１２０は、複数のステータ片１を覆っている。これにより、モータ５００の外部からの水、塵埃などの異物からステータ１１０を保護できる。また、環状に連結された複数のステータ片１を、樹脂ケーシング１２０でより強固に固定できる。
【００２３】
ベアリングホルダ１３０は、ベアリング１３１を内部に保持し、ベアリング１３１を介してシャフト３００を回転可能に支持する。ベアリングホルダ１３０は、特に限定しないが、好ましくは絶縁体となる樹脂材料、ゴム材料を用いて形成される。これにより、ベアリング１３１の電食を抑制できる。また、ベアリング１３１は、たとえば、ボールベアリングであってもよいし、スリーブベアリングであってもよい。
【００２４】
基板１４０は、たとえば樹脂製であり、ステータ１１０よりも軸方向下側に位置する。基板１４０は、たとえばホールＩＣなどの電子部品を搭載し、コイル部１１２の導線１１２ａ、及びモータ５００の外部に引き出されるリード線１４０ａと電気的に接続されている。
【００２５】
ブラケット１５０は、樹脂ケーシング１２０の下端に取り付けられている。ブラケット１５０は、金属製であってもよいが、好ましくは樹脂製である。これにより、ベアリング１３１の電食の発生を防止できる。
【００２６】
＜１−３．複数のステータ片を有するステータの構成＞
次に、複数のステータ片１を有するステータ１１０の構成を説明する。図２は、ステータ１１０の構成例を示す斜視図である。図３は、一繋がりに連結された複数のステータ片１を直線状にした図である。なお、図２及び図３では、ステータコア１１１の構成を理解し易くするため、コイル部１１２の図示を省略している。
【００２７】
ステータ１１０は、上下に延びる中心軸ＣＡを中心として周方向に並ぶ複数のステータ片１を有する。ステータ１１０を構成するステータ片１の数は、本実施形態では１２個であるが、この例示に限定されず、適宜変更されてもよい。
【００２８】
各々のステータ片１は、インシュレータ３の後述する連結部３１を介して一繋がりに連結されている。図２に示す環状のステータ１１０は、一繋がりに連結された複数のステータ片１（図３参照）を円環形状に曲げて両端を互いに連結することによって得られる。
【００２９】
各々のステータ片１は、磁性体よりなる分割コア２と、分割コア２を覆う樹脂製のインシュレータ３と、コイル部１１２を構成する導線１１２ａと、板部４と、壁部５と、を有する。
【００３０】
分割コア２は、磁性体よりなり、たとえば、電磁鋼板が軸方向に積層された積層鋼板からなる鉄心部材である。或いは、分割コア２は焼結された磁性体であってもよい。各々のステータ片１の分割コア２は、ステータコア１１１を構成する。また、各々の分割コア２は、それぞれ別体である。
【００３１】
図４は、分割コア２の上面図である。分割コア２は、周方向に延びるコアバック部２１と、コアバック部２１から径方向に延びるティース部２２と、を有する。ティース部２２は、図４に示すように、ティース基部２２１と、ティース先端部２２２と、を有する。ティース基部２２１は、コアバック部２１から径方向の外方に延びる。ティース先端部２２２は、ティース基部２２１の先端から周方向に沿って周方向両側に延びている。また、周方向において隣り合うステータ片１において、ティース部２２間は離れている。言い換えると、周方向において隣り合うティース先端部２２２間は離れている。ティース部２２には、インシュレータ３を介して導線１１２ａが巻き付けられる。より具体的には、導線１１２ａは、インシュレータ３を介してティース基部２２１に巻き付けられている。分割コア２のティース部２２と導線１１２ａとの間は、インシュレータ３により電気的に絶縁される。
【００３２】
インシュレータ３は、たとえば樹脂製であり、各々のステータ片１において、分割コア２の少なくとも一部を覆い、特に、ティース部２２を覆っている。インシュレータ３は、本実施形態では分割コア２をインサートして成型されている。言い換えると、インシュレータ３は、分割コア２にインサート成型されている。或いは、この例示に限定されず、インシュレータ３は、分割コア２とは別体で設けられてもよく、たとえば分割コア２に嵌め込む樹脂製の部材であってもよい。
【００３３】
インシュレータ３は、連結部３１を有する。連結部３１は、樹脂材料などの非磁性体であり、隣り合うステータ片１のティース部２２の先端同士を連結する。より具体的には、連結部３１は、ティース先端部２２２の周方向両側における端部に設けられ、隣り合うティース先端部２２２同士を連結する。これにより、隣り合うステータ片１のティース部２２間での連結部３１を経由する磁気短絡を防止できる。なお、連結部３１の材料は、本実施形態ではインシュレータ３と同じであるが、この例示に限定されず、インシュレータ３とは異なる材料が用いられてもよい。さらに、連結部３１は、インシュレータ３とは別体であってもよい。
【００３４】
板部４の構成は、後に説明する。
【００３５】
壁部５は、分割コア２から軸方向に突出し、周方向に延びる。より具体的には、壁部５は、コアバック部２１の軸方向上側において軸方向上側に突出し、コアバック部２１の軸方向下側において軸方向下側に突出している。壁部５は、コアバック部２１の外端部に設けられ、さらに板部４よりも径方向外側に設けられている。本実施形態では、壁部５はインシュレータ３の一部であり、インシュレータ３と同じ材料が用いられている。但し、この例示に限定されず、壁部５は、インシュレータ３とは別体であってもよいし、インシュレータ３とは異なる材料が用いられてもよい。
【００３６】
＜１−３−１．板部の構成＞
図５Ａ〜図５Ｃは、板部４の構成例を説明するための図である。図５Ａは、板部４を有するステータ片１の斜視図である。図５Ｂは、板部４を有するステータ片１を軸方向から見た上面図である。図５Ｃは、板部４を有するステータ片１を径方向内側から見た側面図である。なお、図５Ａ〜図５Ｃでは、構成を理解し易くするため、コイル部１１２を構成する導線１１２ａの図示を省略している。
【００３７】
板部４は、隣り合うステータ片１のコアバック部２１間を連結して固定する（図２参照）。この際、周方向において、隣り合うコアバック部２１の側面が互いに比較的に隙間なく接触する。なお、周方向におけるコアバック部２１の側面は、平面でなくてもよいが、好ましくは本実施形態のように平面である。これにより、隣り合うステータ片１において互いに接するコアバック部２１の周方向における側面が平面である。そのため、一繋がりのステータ片１を環状に連結する際、たとえば、隣り合うステータ片１の該側面同士の引っ掛かりなどが抑制でき、該側面同士がより隙間なく接することができる。また、コアバック部２１の周方向における側面に若干の凸凹があっても、該側面の弾性変形などにより上記の悪影響を抑えることができる。従って、一繋がりのステータ片１をさらに真円に近い環状に連結できる。
【００３８】
板部４は、コアバック部２１の軸方向上側及び軸方向下側のうちの一方のみ設けられていてもよいが、好ましくは、コアバック部２１の軸方向両側に設けられる。これにより、隣り合うステータ片１のコアバック部２１は、軸方向両側で連結されるので、より精度よく環状に連結できる。本実施形態では、板部４は、コアバック部２１の軸方向上側に設けられる第１板部４０ａと、コアバック部２１の軸方向下側に設けられる第２板部４０ｂと、を含んでいる。なお、第１板部４０ａ及び第２板部４０ｂの構成は、後に説明する。
【００３９】
軸方向から見て、板部４の内端部４ａ及び外端部４ｂは、中心軸ＣＡを中心とする円弧形状である（図２及び図５Ｂ参照）。これにより、各々のステータ片１の板部４が中心軸ＣＡを中心とする円弧状に延びる。従って、軸方向から見て、複数のステータ片１をより真円に近い環状に並べて連結することができる。
【００４０】
また、板部４は、基部４１と、延伸部４２と、凸部４３と、凹部４４と、を有する。
【００４１】
基部４１は、コアバック部２１の軸方向を向く面である軸方向端面２１０上に設けられる。基部４１の上面は、延伸部４２の上面よりも軸方向下側にあり、両者は段差を構成している。
【００４２】
延伸部４２は、基部４１からコアバック部２１よりも周方向に延びる。隣り合うステータ片１のコアバック部２１が連結される際、隣り合うステータ片１のうちの一方のステータ片１の延伸部４２の径方向における外端部４２ｂは、他方のステータ片１の壁部５に沿って延びる。これにより、一繋がりになっている複数のステータ片１を環状に連結する際、隣り合うステータ片１のうちの一方のステータ片１の延伸部４２の外端部４２ｂが他方のステータ片１の壁部５に沿ってガイドされることにより、より確実且つ容易に凸部４３を凹部４４に向かって移動させることができる。
【００４３】
また、延伸部４２は、延伸部曲面４２ａを有する。延伸部曲面４２ａは、延伸部４２の周方向における先端部のうちの径方向外側における端部に設けられ、軸方向から見て延伸部４２の外部に向かって凸に湾曲している。これにより、隣り合うステータ片１のコアバック部２１間を板部４により連結する際、壁部５にガイドされる延伸部４２の先端部と壁部５の内側面との摩擦を低減することができ、延伸部４２の先端部が壁部５に引っ掛かることを防止することもできる。従って、延伸部４２の先端部がよりスムーズに壁部５に沿ってガイドされる。
【００４４】
凸部４３は、本実施形態では延伸部４２に設けられ、軸方向に突出する。より具体的には、凸部４３は、延伸部４２の軸方向に沿って延伸部４２からコアバック部２１に向かう方向を向く面に設けられ、軸方向に沿って延伸部４２からコアバック部２１に向かう方向に突出している。
【００４５】
凹部４４は、本実施形態では基部４１に設けられ、軸方向に凹む。より具体的には、凹部４４は、基部４１の軸方向に沿ってコアバック部２１から基部４１に向かう方向を向く面に設けられ、軸方向に沿って基部４１からコアバック部２１に向かう方向に凹んでいる。
【００４６】
隣り合うステータ片１のコアバック部２１が連結される際、隣り合うステータ片１のうちの一方のステータ片１の凸部４３が、他方のステータ片１の凹部４４に嵌る。これにより、連結部３１により一繋がりに連結された複数のステータ片１を環状にする際、隣り合うステータ片１のうちの一方のステータ片１の凸部４３を他方のステータ片１の凹部４４に嵌めることにより、隣り合うステータ片１のコアバック部２１間を板部４で容易に連結することができる。従って、一繋がりに連結された複数のステータ片１を簡易な構成でより真円度の高い環状に連結することができる。
【００４７】
凸部４３は、凸部曲面４３ａを有する。凸部曲面４３ａは、径方向から見て軸方向のコアバック部２１側に向かって凸に湾曲している（図５Ｃ参照）。これにより、隣り合うステータ片１のコアバック部２１間を板部４で連結する際、凸部４３は上記凸部曲面４３ａを滑らせながら凹部４４に嵌まる。従って、より容易に凸部４３を凹部４４に嵌めることができる。
【００４８】
さらに、凸部曲面４３ａは、周方向から見て湾曲している。これにより、凸部曲面４３ａをドーム形状にできる。
【００４９】
板部４の材料は、好ましくはインシュレータ３と同じである。本実施形態では、板部３は、インシュレータ３の一部であり、インシュレータ３と同じ材料が用いられている。これにより、たとえば、分割コア２をインシュレータ３で覆う際に板部４も同時に設けることができる。よって、製造工程を簡略化することができる。
【００５０】
但し、この例示には限定されず、板部４はインシュレータ３とは別体であってもよく、板部４の材料はインシュレータ３とは異なっていてもよい。たとえば、板部４の材料は、電気絶縁性を有する材料でなくてもよく、ステンレス、アルミニウムなどの金属材料であってもよい。
【００５１】
また、板部４のうちの少なくとも延伸部４２は、好ましくは樹脂製とされる。これにより、樹脂製の延伸部４２が軸方向に撓むことにより、容易に凸部４３を凹部４４に嵌めることができる。従って、隣り合うステータ片１のコアバック部２１間が板部４で連結し易くなる。
【００５２】
＜１−３−２．第１板部及び第２板部の構成＞
次に、第１板部４０ａ及び第２板部４０ｂの構成を説明する。
【００５３】
第１板部４０ａは、コアバック部２１の軸方向上側に設けられ、軸方向から見て、第１軸方向面２１０ａから時計回りの周方向ＣＷに延びる。図５Ｃに示すように、第１板部４０ａは、第１基部４１１と、第１延伸部４２１と、第１凸部４３１と、第１凹部４４１と、を有する。第１基部４１１は、コアバック部２１の上面である第１軸方向端面２１０ａ上に設けられている。第１延伸部４２１の反時計回りの周方向ＣＣＷにおける端部は、第１基部４１１の軸方向上側に設けられている。第１延伸部４２１の時計回りの周方向ＣＷにおける端部は、第１基部４１１からコアバック部２１よりも時計回りの周方向ＣＷに延びている。第１凸部４３１は、本実施形態では第１延伸部４２１の時計回りの周方向ＣＷにおける端部の下面に設けられ、軸方向下側に突出している。第１凹部４４１は、本実施形態では第１基部４１１の上面に設けられ、軸方向下側に凹んでいる。
【００５４】
第２板部４０ｂは、コアバック部２１の軸方向下側に設けられ、軸方向から見て、第２軸方向面２１０ｂから反時計回りの周方向ＣＣＷに延びる。図５Ｃに示すように、第２板部４０ｂは、第２基部４１２と、第２延伸部４２２と、第２凸部４３２と、第２凹部４４２と、を有する。第２基部４１２は、コアバック部２１の下面である第２軸方向端面２１０ｂ上に設けられている。第２延伸部４２２の時計回りの周方向ＣＷにおける端部は、第２基部４１２の軸方向下側に設けられている。第２延伸部４２２の反時計回りの周方向ＣＣＷにおける端部は、第２基部４１２からコアバック部２１よりも反時計回りの周方向ＣＣＷに延びている。第２凸部４３２は、本実施形態では第２延伸部４２２の反時計回りの周方向ＣＣＷにおける端部の上面に設けられ、軸方向上側に突出している。第２凹部４４２は、本実施形態では第２基部４１２の下面に設けられ、軸方向上側に凹んでいる。
【００５５】
隣り合うステータ片１のコアバック部２１が連結される際、第１凸部４３１は、時計回りの周方向ＣＷにおいて隣に並ぶステータ片１の第１凹部４４１に嵌る。第１凹部４４１には、反時計回りの周方向ＣＣＷにおいて隣に並ぶステータ片１の第１凸部４３１が嵌る。また、第２凸部４３２は、反時計回りの周方向ＣＣＷにおいて隣に並ぶステータ片１の第２凹部４４２に嵌る。第２凹部４４２には、時計回りの周方向ＣＷにおいて隣に並ぶステータ片１の第２凸部４３２が嵌る。
【００５６】
これにより、軸方向から見て、第１板部４０ａ及び第２板部４０ｂのコアバック部２１よりも周方向外側に位置する端部はそれぞれ周方向の異なる側に延びている。従って、金型を用いた第１板部４０ａ及び第２板部４０ｂの成形が容易となる。たとえば、金型を用いて第１板部４０ａ及び第２板部４０ｂをインシュレータ３及び分割コア２とともにインサート成形した後、金型を軸方向上側と軸方向下側とに抜くことができる。
【００５７】
＜１−４．板部の変形例＞
次に、板部４の変形例を説明する。なお、以下の説明では、上述の実施形態と同じ要素には同じ符号を付す。また、上述の実施形態と同じ構成の説明は省略することがある。
【００５８】
＜１−４−１．第１変形例＞
図６は、第１変形例に係る板部４を有するステータ片１の斜視図である。なお、図６では、構成を理解し易くするため、コイル部１１２を構成する導線１１２ａの図示を省略している。
【００５９】
第１変形例では、凸部４３において、凸部曲面４３ａは、周方向においてのみ湾曲している。つまり、凸部曲面４３ａは、径方向から見て軸方向のコアバック部２１側に向かって凸に湾曲しているが、周方向から見て湾曲せずにたとえば方形状となっている。これにより、隣り合うステータ片１のコアバック部２１間を板部４で連結する際、上記凸部曲面４３ａを滑らせながら凸部４３を凹部４４に嵌めることができる。従って、容易に凸部４３を凹部４４に嵌めることができる。
【００６０】
＜１−４−２．第２変形例＞
図７は、第２変形例に係る板部４を有するステータ片１を径方向内側から見た側面図である。なお、図７では、構成を理解し易くするため、コイル部１１２を構成する導線１１２ａの図示を省略している。
【００６１】
第２変形例では、板部４において、凸部４３は基部４１に設けられ、凹部４４は延伸部４２に設けられる。図７では、凸部４３は、基部４１の軸方向に沿ってコアバック部２１から基部４１に向かう方向を向く面に設けられ、該方向に突出している。また、凹部４４は、延伸部４２の軸方向に沿って延伸部４２からコアバック部２１に向かう方向を向く面に設けられ、軸方向に沿ってコアバック部２１から延伸部４２に向かう方向に凹んでいる。
【００６２】
また、より具体的に説明すると、第１板部４０ａでは、第１凸部４３１が、第１基部４１１の上面に設けられ、軸方向上側に突出している。また、第１凹部４４１が、第１延伸部４２１の下面に設けられ、軸方向上側に凹んでいる。第２板部４０ｂでは、第２凸部４３２が、第２基部４１２の下面に設けられ、軸方向下側に突出している。また、第２凹部４４２が、第２延伸部４２２の上面に設けられ、軸方向下側に凹んでいる。なお、第１凹部４４１、第２凹部４４２はそれぞれ、図７では第１延伸部４２１、第２延伸部４２２を軸方向に貫通しているが、この例示に限定されず、貫通せずに有底筒状に凹んでいてもよい。
【００６３】
これにより、隣り合うステータ片１のコアバック部２１を板部４で連結する際、隣り合うステータ片１のうちの一方のステータ片１の凸部４３を他方のステータ片１の凹部４４に嵌めることにより、隣り合うステータ片１のコアバック部２１間を板部４で容易に連結することができる。従って、一繋がりに連結された複数のステータ片１を簡易な構成でより真円度の高い環状に連結することができる。
【００６４】
＜１−４−３．第３変形例＞
図８は、第３変形例に係る板部４を有するステータ片１を径方向内側から見た側面図である。なお、図８では、構成を理解し易くするため、コイル部１１２を構成する導線１１２ａの図示を省略している。
【００６５】
第３変形例では、凹部２１１が、コアバック部２１の軸方向端面２１０に設けられ、軸方向に沿って板部４からコアバック部２１に向かう方向に凹んでいる。板部４は、延伸部４２と、凸部４３と、を有する。延伸部４２の周方向における一方の端部は軸方向端面２１０上に設けられ、延伸部４２の周方向における他方の端部は軸方向端面２１０上から周方向に沿ってコアバック部２１の外部に向かう方向に延びている。隣り合うステータ片１のコアバック部２１が連結される際、隣り合うステータ片１のうちの一方のステータ片１の凸部４３が、他方のステータ片１の軸方向端面２１０に設けられた凹部２１１に嵌る。
【００６６】
より具体的に説明すると、コアバック部２１は、第１凹部２１１１と、第２凹部２１１２と、を有する。第１凹部２１１１は、コアバック部２１の第１軸方向端面２１０ａに設けられ、軸方向下側に凹んでいる。第２凹部２１１２は、コアバック部２１の第２軸方向端面２１０ｂに設けられ、軸方向上側に凹んでいる。
【００６７】
第１板部４０ａは、第１延伸部４２１と、第１凸部４３１と、を有する。第１延伸部４２１の反時計回りの周方向ＣＣＷにおける端部は、コアバック部２１の第１軸方向端面２１０ａ上に設けられている。第１延伸部４２１の時計回りの周方向ＣＷにおける端部は、第１軸方向端面２１０ａ上からコアバック部２１よりも時計回りの周方向ＣＷに延びている。第１凸部４３１は、第１延伸部４２１の時計回りの周方向ＣＷにおける端部の下面に設けられ、軸方向下側に突出している。
【００６８】
第２板部４０ｂは、第２延伸部４２２と、第２凸部４３２と、を有する。第２延伸部４２２の時計回りの周方向ＣＷにおける端部は、コアバック部２１の第２軸方向端面２１０ｂ上に設けられている。第２延伸部４２２の反時計回りの周方向ＣＣＷにおける端部は、第２軸方向端面２１０ｂ上からコアバック部２１よりも反時計回りの周方向ＣＣＷに延びている。第２凸部４３２は、第２延伸部４２２の反時計回りの周方向ＣＣＷにおける端部の上面に設けられ、軸方向上側に突出している。
【００６９】
隣り合うステータ片１のコアバック部２１が連結される際、第１凸部４３１は、時計回りの周方向ＣＷにおいて隣に並ぶステータ片１の第１凹部２１１１に嵌る。第１凹部２１１１には、反時計回りの周方向ＣＣＷにおいて隣に並ぶステータ片１の第１凸部４３１が嵌る。また、第２凸部４３２は、反時計回りの周方向ＣＣＷにおいて隣に並ぶステータ片１の第２凹部２１１２に嵌る。第２凹部２１１２には、時計回りの周方向ＣＷにおいて隣に並ぶステータ片１の第２凸部４３２が嵌る。
【００７０】
これにより、一繋がりに連結された複数のステータ片１を簡易な構成でより真円度の高い環状に連結することができる。
【００７１】
＜１−４−４．第４変形例＞
図９は、第４変形例に係る板部４を有するステータ片１を径方向内側から見た側面図である。なお、図９では、構成を理解し易くするため、コイル部１１２を構成する導線１１２ａの図示を省略している。
【００７２】
第４変形例では、凸部２１２が、コアバック部２１の軸方向端面２１０に設けられ、軸方向に沿ってコアバック部２１から板部４に向かう方向に突出している。板部４は、延伸部４２と、凹部４４と、を有する。延伸部４２の周方向における一方の端部は軸方向端面２１０上に設けられ、延伸部４２の周方向における他方の端部は軸方向端面２１０上から周方向に沿ってコアバック部２１の外部に向かう方向に延びている。隣り合うステータ片１のコアバック部２１が連結される際、隣り合うステータ片１のうちの一方のステータ片１の軸方向端面２１０に設けられた凸部２１２が、他方のステータ片１の凹部４４に嵌る。
【００７３】
より具体的に説明すると、コアバック部２１は、第１凸部２１２１と、第２凸部２１２２と、を有する。第１凸部２１２１は、コアバック部２１の第１軸方向端面２１０ａに設けられ、軸方向上側に突出している。第２凸部２１２２は、コアバック部２１の第２軸方向端面２１０ｂに設けられ、軸方向下側に突出している。
【００７４】
第１板部４０ａは、第１延伸部４２１と、第１凹部４４１と、を有する。第１延伸部４２１の反時計回りの周方向ＣＣＷにおける端部は、コアバック部２１の第１軸方向端面２１０ａ上に設けられている。第１延伸部４２１の時計回りの周方向ＣＷにおける端部は、第１軸方向端面２１０ａ上からコアバック部２１よりも時計回りの周方向ＣＷに延びている。第１凹部４４１は、第１延伸部４２１の時計回りの周方向ＣＷにおける端部の下面に設けられ、軸方向上側に凹んでいる。
【００７５】
第２板部４０ｂは、第２延伸部４２２と、第２凹部４４２と、を有する。第２延伸部４２２の時計回りの周方向ＣＷにおける端部は、コアバック部２１の第２軸方向端面２１０ｂ上に設けられている。第２延伸部４２２の反時計回りの周方向ＣＣＷにおける端部は、第２軸方向端面２１０ｂ上からコアバック部２１よりも反時計回りの周方向ＣＣＷに延びている。第２凹部４４２は、第２延伸部４２２の反時計回りの周方向ＣＣＷにおける端部の上面に設けられ、軸方向下側に凹んでいる。
【００７６】
なお、第１凹部４４１、第２凹部４４２はそれぞれ、図９では第１延伸部４２１、第２延伸部４２２を軸方向に貫通しているが、この例示に限定されず、貫通せずに有底筒状に凹んでいてもよい。
【００７７】
隣り合うステータ片１のコアバック部２１が連結される際、第１凸部２１２１は、反時計回りの周方向ＣＣＷにおいて隣に並ぶステータ片１の第１凹部４４１に嵌る。第１凹部４４１には、時計回りの周方向ＣＷにおいて隣に並ぶステータ片１の第１凸部２１２１が嵌る。また、第２凸部２１２２は、時計回りの周方向ＣＷにおいて隣に並ぶステータ片１の第２凹部４４２に嵌る。第２凹部４４２には、反時計回りの周方向ＣＣＷにおいて隣に並ぶステータ片１の第２凸部２１２２が嵌る。
【００７８】
これにより、一繋がりに連結された複数のステータ片１を簡易な構成でより真円度の高い環状に連結することができる。
【００７９】
＜１−４−５．第５変形例＞
図１０は、第５変形例に係る板部４を有するステータ片１を径方向内側から見た側面図である。なお、図１０では、構成を理解し易くするため、コイル部１１２を構成する導線１１２ａの図示を省略している。
【００８０】
第４変形例では、基部４１の上面が傾斜面４１ａを有し、延伸部４２の下面が傾斜面４２ｃを有する。なお、凸部４３は延伸部４２の傾斜面４２ｃに設けられ、凹部４４は基部４１の傾斜面４１ａに設けられている。隣り合うステータ片１のコアバック部２１が板部４で連結される際、一方のステータ片１の基部４１の傾斜面４１ａが、他方のステータ片１の延伸部４２の傾斜面４２ｃとは互いに平行となって接する。
【００８１】
より具体的に説明すると、第１板部４０ａにおいて、第１基部４１１の上面と、第１延伸部４２１の下面とは、時計回りの周方向ＣＷに向かうにつれて軸方向上側に傾斜している。第１基部４１１の上面には、第１凹部４４１が設けられている。第１延伸部４２１の下面には、第１凸部４３１が設けられている。
【００８２】
また、第２板部４０ｂにおいて、第２基部４１２の上面と、第２延伸部４２２の下面とは、反時計回りの周方向ＣＣＷに向かうにつれて軸方向下側に傾斜している。第２基部４１２の下面には、第２凹部４４２が設けられている。第２延伸部４２２の上面には、第２凸部４３２が設けられている。
【００８３】
隣り合うステータ片１のコアバック部２１が板部４で連結される際、第１基部４１１の上面が、反時計回りの周方向ＣＣＷにおいて隣に並ぶステータ片１の第１延伸部４２１の下面と互いに平行となって接する。第１延伸部４２１の下面が、時計回りの周方向ＣＷにおいて隣に並ぶステータ片１の第１基部４１１の上面と互いに平行となって接する。また、第２基部４１２の下面が、時計回りの周方向ＣＷにおいて隣に並ぶステータ片１の第２延伸部４２２の上面と互いに平行となって接する。第２延伸部４２２の上面が、反時計回りの周方向ＣＣＷにおいて隣に並ぶステータ片１の第１基部４１２の下面と互いに平行となって接する。
【００８４】
これにより、隣り合うステータ片１のコアバック部２１が板部４で連結される際、隣り合うステータ片１のうちの一方のステータ片１の凸部４３が他方のステータ片１の凹部４４にさらに嵌り易くなる。従って、隣り合うステータ片１のコアバック部２１間を板部４でさらに容易に連結することができる。
【００８５】
＜２．その他＞
以上、本発明の実施形態について説明した。なお、本発明の範囲は上述の実施形態に限定されない。本発明は、発明の主旨を逸脱しない範囲で種々の変更を加えて実施することができる。また、上述の実施形態で説明した事項は、矛盾を生じない範囲で適宜任意に組み合わせることができる。
【産業上の利用可能性】
【００８６】
本発明は、周方向に並ぶ複数のステータ片を環状に連結したステータを有するモータのステータユニットに有用である。
【符号の説明】
【００８７】
５００・・・モータ、１００・・・ステータユニット、１１０・・・ステータ、１１１・・・ステータコア、１１２・・・コイル部、１１２ａ・・・導線、１２０・・・樹脂ケーシング、１３０・・・ベアリングホルダ、１３１・・・ベアリング、１４０・・・基板、１４０ａ・・・リード線、１５０・・・ブラケット、２００・・・ロータ、２１０・・・保持部材、２２０・・・マグネット、３００・・・シャフト、１・・・ステータ片、２・・・分割コア、２１・・・コアバック部、２１０・・・軸方向端面、２１０ａ・・・第１軸方向端面、２１０ｂ・・・第２軸方向端面、２１１・・・凹部、２１１１・・・第１凹部、２１１２・・・第２凹部、２１２・・・凸部、２１２１・・・第１凸部、２１２２・・・第２凸部、２２・・・ティース部、３・・・インシュレータ、３１・・・連結部、４・・・板部、４ａ・・・内端部、４ｂ・・・外端部、４０ａ・・・第１板部、４０ｂ・・・第２板部、４１・・・基部、４１ａ・・・傾斜面、４１１・・・第１基部、４１２・・・第２基部、４２・・・延伸部、４２ａ・・・延伸部曲面、４２ｂ・・・外端部、４２ｃ・・・傾斜面、４２１・・・第１延伸部、４２２・・・第２延伸部、４３・・・凸部、４３ａ・・・凸部曲面、４３１・・・第１凸部、４３２・・・第２凸部、４４・・・凹部、４４１・・・第１凹部、４４２・・・第２凹部、５・・・壁部、ＣＡ・・・中心軸、ＣＷ・・・時計回りの周方向、ＣＣＷ・・・反時計回りの周方向
【図１】
2019062608.tif 000003
【図２】
2019062608.tif 000004
【図３】
2019062608.tif 000005
【図４】
2019062608.tif 000006
【図５Ａ】
2019062608.tif 000007
【図５Ｂ】
2019062608.tif 000008
【図５Ｃ】
2019062608.tif 000009
【図６】
2019062608.tif 000010
【図７】
2019062608.tif 000011
【図８】
2019062608.tif 000012
【図９】
2019062608.tif 000013
【図１０】
2019062608.tif 000014